(57)【特許請求の範囲】
【請求項１】
硬質材により成形された底面部のほぼ中央から略垂直に立上部を立設し、この立上部の頂部近傍の両側に可撓性を持った軟質材により成形されたシール舌片を配設すると共に、この硬質材と軟質材を一体的に成形し、さらに、この立上部の底面部と頂部との間の両側に硬質材により一体的に成形され、上記シール舌片と略平行にかつ、このシール舌片の長さより短い幅ガイド片を配設したことを特徴とする目地ジョイナー。
【請求項２】
この立ち上げ部の底面部と幅ガイド片の間の両側に、可撓性を持った軟質材により成形された、少なくとも一対の第二シール舌片を配設したことを特徴とする請求項１記載の目地ジョイナー。
【発明の詳細な説明】
【０００１】
【発明の属する技術分野】
本発明は、隣接する壁材間の継ぎ目部に形成される目地間隔に配設される目地ジョイナーに関する、更には建築構造物の壁材として、横張り施工されるサイディングの縦目地部に用いられるジョイナーに関するものである。
【０００２】
【従来の技術】
従来から、建築構造物の壁材として、防火性及び意匠性の面から窯業系や金属系のサイディングボードが広く用いられている。これらのサイディングボードでは、工場での生産、保管上、輸送上その長さに限度があり、また建築構造物の壁にこの壁材を横張り施工する際、現場で寸法を合わせるため、隣接する壁材間の継ぎ目即ち縦目地が出来、この縦目地部の防水対策として目地ジョイナーを配設することが行われてきた。
従来から、壁材の継ぎ目に形成される目地部に、シーリング材を使用しない乾式目地ジョイナーと呼ばれるものが広く用いられてきており、例えば、図５に示す金属薄板からなる補強芯を樹脂またはゴム等の被覆材で被覆して形成された底板部を左右に配設し、この底板部の中央に起立片を設け、その頂部から左右側方から下方に向かう略弓状にクッション片が設けられている。このような目地ジョイナーは、図６に示すように壁材間の継ぎ目に配設され、そのクッション片を壁材の端面に押し当て、圧接して施工される。
【０００３】
【発明が解決しようとする課題】
しかしながら、例えば図５に示した従来の乾式目地ジョイナーを金属サイディング等の金属系壁材に使用した場合には、図６に示したように、壁材の端縁部との接合部においてクッション片が多角形状に折曲がり、壁材と本目地ジョイナーとの間に隙間が発生するのが避けられなかった。このため、該隙間から雨水が浸入して室内側に雨漏れ跡を残す等、その外観を損ねる欠陥を発生させ、水密性を確保できずに建築構造物の寿命を低下させる等の問題の原因ともなっていた。また、係る乾式ジョイナーでは、金属サイディングのような壁材の継ぎ目に使用されると、金属サイディングは、他の窯業系のサイディングに比較して、その材質の線膨張係数が大きいので、熱膨張、収縮等による寸法変化が大きく、外装材として気温の変化や直射日光が当たる部の表面温度の急上昇等による該金属サイディングの寸法変化に追随することが出来ず、上記壁材の継ぎ目に隙間が発生したり、該乾式ジョイナーが強く押し当てられ、硬質材がクリープ現象を起こして変形したまま硬化するか、ひどい場合には破損し、係る接合部の耐水密性を確保出来ない問題、また隙間に貯留した水分が凍結融解を繰り返して膨縮し、壁材の表面剥離、強度劣化及び基材の膨潤を起こす欠陥、いわゆる凍害性の重大な問題を引き起こす可能性があった。また、係る金属壁材の継ぎ目である目地部の幅は、係る金属壁材の施工時の圧接力のばらつきによって、該クッション片の開閉が大きく変化するので、広くなったり狭くなったりして所定の寸法を確保するのが困難であった。
【０００４】
【課題を解決するための手段】
本発明は、上記課題を解決すべく種々検討を行った結果、硬質材により成形された立上部が、底面部のほぼ中央から略垂直に立設され、この立上部の頂部近傍の両側に、隣接する壁材の端縁部に圧接するように形成された可撓性を持った軟質材により成形された略ひれ状のシール舌片が配設され、かつこのシール舌片と底面部との間の立上部の両側に、更に可撓性を持った軟質材により成形された第二のシール舌片が配設されている。さらに、シール舌片と第二のシール舌片との間に、これらシール舌片と略平行かつシール舌片の長さより短い幅ガイド片が配設されている。これらシール舌片は、その先端を肉薄とした略ひれ状に成形して形成され、幅ガイド片によって目地部の幅は所定の寸法に確保されるため、このシール舌片の先端近傍が隣接する壁材の端縁部に押し当てられ、圧接されて施工される。
【０００５】
このため、シール舌片に壁材の端縁部を押し当てて壁材を圧接することが出来、壁材の切断面の寸法のばらつきや、壁材の気象条件の変化すなわち直射日光による該壁材表面の温度上昇、高気温による熱膨張、低気温による収縮等の寸法変化にも、そのシール舌片が容易に追随することが可能である。また、このシール舌片の先端部分が壁材の端縁部表面を圧接するため、目地ジョイナーと壁材の間に隙間を生ずることがないので、隣接する壁材の継ぎ部、壁材と目地ジョイナー部の毛細管現象による雨水漏れを防止し、耐水密性及び耐凍害性を向上させ、この壁材の施工後の仕上がり、外観を向上させることが出来る。
【０００６】
【実施例】
本発明の一実施例を図面に基づいて説明すると、図２、及び図３は、隣接する壁材の継ぎ目に形成される目地間隔に使用される、この発明の目地ジョイナーの一実施例及び他の実施例を示す断面図である。本発明の係る実施例において、この目地ジョイナー１０は、そのベースに相当する硬質材により成形された底面部１１を有し、その底面部１１のほぼ中央に該底面部１１と一体的に成形された立上部１２を略垂直に立設されている。この立上部１２の頂部１６近傍の両側に、略垂直即ち上記底面部１１に略平行に、可撓性を持った軟質材により成形されたシール舌片１３が配設され、またこのシール舌片１３より底面部１１側の立上部１２両側に、硬質材により成形された幅ガイド片１４が配設されており、係るシール舌片１３及び幅ガイド片１４共、該底面部１１及び立上部１２と一体的に成形され、かつ、この立上部１２から幅ガイド片１４の高さは、該立上部１２からシール舌片１３の高さより低く形成されている。このシール舌片１３は、その断面において該立上部１２に一体的に成形される根元部を肉厚に、その先端に向かうに従って肉薄とする略ひれ状に形成されている。
【０００７】
この目地ジョイナー１０を上記隣接する壁材２０ａ、２０ｂの継ぎ目を形成する目地部１７に使用し、これらの壁材２０ａ、２０ｂをこの目地ジョイナー１０の幅ガイド片１４に接触するように施工されると、硬質材により成形された幅ガイド片１４の高さによって、この目地部１７の幅は、所定の寸法で確保出来、軟質材により成形されたシール舌片１３の先端肉薄部１３ｂによって、気温の変化や直射日光による温度上昇による該壁材の寸法変化に追随することが出来るので、このシール舌片１３と壁材端縁部２１との間隔における毛細管現象を起こさないで済み、雨水漏れを防止することが出来、耐水密性、及び耐凍害性を向上させることが出来る。更に、幅ガイド片１４より底面部１１側の立上部１２の両側に、可撓性を持った軟質材により成形される第二のシール舌片１３が配設されているので、雨水漏れを防止し、耐水密性を向上できる。
【０００８】
また、この例においては、底面部１１の両側には、雨水の浸入を防止するための水切り部１５を立上部１２側に凸になるような方向に配設されている。
【０００９】
また、図２〜４に示すように、隣接する壁材２０ａ、２０ｂの継ぎ目を形成する目地部１７間隔に、該壁材の両端縁部２１とシール舌片頂部１６表面に接し、かつ該シール舌片頂部１６の表面には接着されないようにシーリング１８を充填すると、気温の変化や直射日光による温度上昇による係る隣接する壁材２０及び該目地部１７の間隔寸法の変化にも追随することが出来、耐水密性が補完される。
【００１０】
【発明の効果】
以上説明したように、本発明に係わる目地ジョイナー１０を、隣接する金属壁材２０ａ、２０ｂの継ぎ目を形成する目地部１７に使用し、これらの壁材２０ａ、２０ｂの端縁部２１をこの目地ジョイナー１０の幅ガイド１４に圧接するように施工されると、硬質材により成形された幅ガイド１４の高さによって、この目地部１７の幅は、所定の寸法に確保され、また軟質材により成形されたシール舌片１３の先端肉薄片１３ｂが、この壁材２０の端縁部２１に圧接されることによって、係るシール舌片１３と該端縁部２１との間隔においては毛細管現象を起こす心配はなくなり、雨水漏れを防止することが出来、耐水密性及び耐凍害性を向上させることが出来る。
【図面の簡単な説明】
【図１】本発明の目地ジョイナーを説明する正面断面図
【図２】本発明の目地ジョイナーの一例を説明する断面図
【図３】本発明の目地ジョイナーのその他の例を説明する断面図
【図４】本発明の目地ジョイナーの施工状態を説明する断面拡大図
【図５】従来の目地ジョイナーを説明する断面図
【図６】従来の目地ジョイナーの施工状態を説明する断面図
【符号の説明】
１０    目地ジョイナー
１１    底面部
１２    立上部
１３    シール舌片
１３ｂ  肉薄片
１４    幅ガイド片
１５    水切り部
１６    頂部
１７    目地部
１８    シーリング
２０    壁材
２１    端縁部
２４    底板部
２５    起立片
２６    補強芯
２７    クッション片
【図１】
0004927266.tif 000002
【図２】
0004927266.tif 000003
【図３】
0004927266.tif 000004
【図４】
0004927266.tif 000005
【図５】
0004927266.tif 000006
【図６】
0004927266.tif 000007